(57)【要約】【課題】シンプルな構造でありながらも軽量且つ安価に天窓を形成することのできる、温室のフィルムに開閉自在な天窓を設ける構造を提供する。【解決手段】温室の骨組材に配設された第１及び第２のフィルム止用条材間に張設されるフィルムに開閉自在な天窓を設ける構造であって、前記フィルムに開口された天窓口と、同天窓口を閉塞可能な面積を備え、前記第１のフィルム止用条材に一端が係止された天窓フィルムと、前記天窓口の開閉方向と直交する方向へ向けて前記骨組材にブラケットで回転自在に架設した回転軸と、前記回転軸にアームを介して連設すると共に、前記天窓フィルムの他端を固定した天窓フレームと、を備えると共に、前記天窓口を閉塞する時には、前記回転軸を介して前記アームを前記第２のフィルム止用条材側に傾倒させて、前記天窓フィルムを緊張させるように構成し、前記天窓口を開放する時には、前記回転軸を介して前記アームを前記第１のフィルム止用条材側に傾倒させて、前記天窓フィルムを弛緩させるように構成した。【選択図】図２
2013141433.tif 000002
【特許請求の範囲】
【請求項１】
温室の骨組材に配設された第１及び第２のフィルム止用条材間に張設されるフィルムに開閉自在な天窓を設ける構造であって、
前記フィルムに開口された天窓口と、
同天窓口を閉塞可能な面積を備え、前記第１のフィルム止用条材に一端が係止された天窓フィルムと、
前記天窓口の開閉方向と直交する方向へ向けて前記骨組材にブラケットで回転自在に架設した回転軸と、
前記回転軸にアームを介して連設すると共に、前記天窓フィルムの他端を固定した天窓フレームと、を備えると共に、
前記天窓口を閉塞する時には、前記回転軸を介して前記アームを前記第２のフィルム止用条材側に傾倒させて、前記天窓フィルムを緊張させるように構成し、
前記天窓口を開放する時には、前記回転軸を介して前記アームを前記第１のフィルム止用条材側に傾倒させて、前記天窓フィルムを弛緩させるように構成したことを特徴とする天窓を設ける構造。
【請求項２】
前記第２のフィルム止用条材に沿って配置され、前記天窓フレームの先端縁を当接自在とした受けフレームを備え、
前記天窓口を閉塞する時には、前記天窓フレームを前記受けフレームに当接し、
前記天窓口を開放する時には、前記天窓フレームを前記受けフレームから離隔するよう構成したことを特徴とする請求項１に記載の天窓を設ける構造。
【請求項３】
前記第２のフィルム止用条材に装着される受け用ブラケットと前記受けフレームとで前記第２のフィルム止用条材を一体的に挟持固定したことを特徴とする請求項２に記載の天窓を設ける構造。
【請求項４】
前記受け用ブラケットは断面コ字状で両側壁中央部に前記第２のフィルム止用条材嵌着用の切欠部を形成し、切欠部に隣接する側壁上端には前記受けフレームを支持するべく構成したことを特徴とする請求項３に記載の天窓を設ける構造。
【請求項５】
前記受けフレームは先端縁を上方に立ち上げて防風水壁としたことを特徴とする請求項２〜４いずれか１項に記載の天窓を設ける構造。
【請求項６】
前記回転軸に前記アームを介して連設した前記天窓フレームは、前記天窓フィルムを固定すべく、前記温室長手方向に架設した第１及び第２のフィルム止用条材の隣接間に配設したことを特徴とする請求項１〜５いずれか１項に記載の天窓を設ける構造。
【請求項７】
前記天窓フィルムは、前記温室を被覆するフィルムの一部としたことを特徴とする請求項１〜６いずれか１項に記載の天窓を設ける構造。
【発明の詳細な説明】
【技術分野】
【０００１】
本発明は、温室に張設されたフィルムに開閉自在な天窓を設ける構造に関する。
【背景技術】
【０００２】
従来、木材や鋼材を骨組材とし、一部もしくは全ての外壁をフィルムで被覆した温室が数多く構築されており、温室効果による室温制御や、外界からの閉鎖を目的として主に作物栽培に利用されている。
【０００３】
例えば、季節性の作物を栽培するにあたり、温室内の温度を外気温よりも高く保つことで、露地栽培で収穫できない時期であっても作物を収穫することができ、消費者に対し作物の供給期間を長く保つことができる等の特徴がある。
【０００４】
ただし、季節によっては、温室内の温度が、作物の至適栽培温度よりも高くなることがある。このような場合、換気を行って、温室内の温度を低下させる方法が採られる。
【０００５】
そこで、温室の上部に開閉自在の天窓を設け、温室内を換気可能としたものが知られている。
【先行技術文献】
【特許文献】
【０００６】
【特許文献１】特開２０１１−１７２５６０号公報
【発明の概要】
【発明が解決しようとする課題】
【０００７】
しかしながら、上記従来の温室の天窓の構造は、開口部の四辺に配設された開口枠や、揺動する天窓の四辺に配設された窓枠が備えられており、これらの枠体が温室の骨組材に大きな重量負担を強いることとなっていた。
【０００８】
また、天窓の揺動は、複数のリンク機構を介して行うなど構造が複雑であり、コストの上昇を招くものでもあった。
【０００９】
本発明は、斯かる事情に鑑みてなされたものであって、よりシンプルな構造でありながらも軽量且つ安価に天窓を形成することのできる、温室のフィルムに開閉自在な天窓を設ける構造を提供する。
【課題を解決するための手段】
【００１０】
上記従来の課題を解決するために、請求項１に係る本発明では、温室の骨組材に配設された第１及び第２のフィルム止用条材間に張設されるフィルムに開閉自在な天窓を設ける構造であって、前記フィルムに開口された天窓口と、同天窓口を閉塞可能な面積を備え、前記第１のフィルム止用条材に一端が係止された天窓フィルムと、前記天窓口の開閉方向と直交する方向へ向けて前記骨組材にブラケットで回転自在に架設した回転軸と、前記回転軸にアームを介して連設すると共に、前記天窓フィルムの他端を固定した天窓フレームと、を備えると共に、前記天窓口を閉塞する時には、前記回転軸を介して前記アームを前記第２のフィルム止用条材側に傾倒させて、前記天窓フィルムを緊張させるように構成し、前記天窓口を開放する時には、前記回転軸を介して前記アームを前記第１のフィルム止用条材側に傾倒させて、前記天窓フィルムを弛緩させるように構成した。
【００１１】
また、請求項２に係る本発明では、請求項１に記載の天窓を設ける構造において、前記第２のフィルム止用条材に沿って配置され、前記天窓フレームの先端縁を当接自在とした受けフレームを備え、前記天窓口を閉塞する時には、前記天窓フレームを前記受けフレームに当接し、前記天窓口を開放する時には、前記天窓フレームを前記受けフレームから離隔するよう構成したことに特徴を有する。
【００１２】
また、請求項３に係る本発明では、請求項２に記載の天窓を設ける構造において、前記第２のフィルム止用条材に装着される受け用ブラケットと前記受けフレームとで前記第２のフィルム止用条材を一体的に挟持固定したことに特徴を有する。
【００１３】
また、請求項４に係る本発明では、請求項３に記載の天窓を設ける構造において、前記受け用ブラケットは断面コ字状で両側壁中央部に前記第２のフィルム止用条材嵌着用の切欠部を形成し、切欠部に隣接する側壁上端には前記受けフレームを支持するべく構成したことに特徴を有する。
【００１４】
また、請求項５に係る本発明では、請求項２〜４いずれか１項に記載の天窓を設ける構造において、前記受けフレームは先端縁を上方に立ち上げて防風水壁としたことに特徴を有する。
【００１５】
また、請求項６に係る本発明では、請求項１〜５いずれか１項に記載の天窓を設ける構造において、前記回転軸に前記アームを介して連設した前記天窓フレームは、前記天窓フィルムを固定すべく、前記温室長手方向に架設した第１及び第２のフィルム止用条材の隣接間に配設したことに特徴を有する。
【００１６】
また、請求項７に係る本発明では、請求項１〜６いずれか１項に記載の天窓を設ける構造において、前記天窓フィルムは、前記温室を被覆するフィルムの一部としたことに特徴を有する。
【発明の効果】
【００１７】
請求項１に係る本発明では、温室の骨組材に配設された第１及び第２のフィルム止用条材間に張設されるフィルムに開閉自在な天窓を設ける構造であって、前記フィルムに開口された天窓口と、同天窓口を閉塞可能な面積を備え、前記第１のフィルム止用条材に一端が係止された天窓フィルムと、前記天窓口の開閉方向と直交する方向へ向けて前記骨組材にブラケットで回転自在に架設した回転軸と、前記回転軸にアームを介して連設すると共に、前記天窓フィルムの他端を固定した天窓フレームと、を備えると共に、前記天窓口を閉塞する時には、前記回転軸を介して前記アームを前記第２のフィルム止用条材側に傾倒させて、前記天窓フィルムを緊張させるように構成し、前記天窓口を開放する時には、前記回転軸を介して前記アームを前記第１のフィルム止用条材側に傾倒させて、前記天窓フィルムを弛緩させるように構成したため、シンプルな構造でありながらも軽量且つ安価に天窓を形成することのできる、温室のフィルムに開閉自在な天窓を設ける構造を提供することができる。
【００１８】
また、請求項２に係る本発明では、前記第２のフィルム止用条材に沿って配置され、前記天窓フレームの先端縁を当接自在とした受けフレームを備え、前記天窓口を閉塞する時には、前記天窓フレームを前記受けフレームに当接し、前記天窓口を開放する時には、前記天窓フレームを前記受けフレームから離隔するよう構成したため、天窓からの風雨の浸入をさらに防止することができる。
【００１９】
また、請求項３に係る本発明では、前記第２のフィルム止用条材に装着される受け用ブラケットと前記受けフレームとで前記第２のフィルム止用条材を一体的に挟持固定したため、受けフレームが第２のフィルム止用条材にしっかりと固定されることとなり、強固な天窓を設ける構造とすることができる。
【００２０】
また、請求項４に係る本発明では、前記受け用ブラケットは断面コ字状で両側壁中央部に前記第２のフィルム止用条材嵌着用の切欠部を形成し、切欠部に隣接する側壁上端には前記受けフレームを支持するべく構成したしたため、第２のフィルム止用条材を、受けフレームと受け用ブラケットとでしっかりと挟持することができる。
【００２１】
また、請求項５に係る本発明では、前記受けフレームは先端縁を上方に立ち上げて防風水壁としたため、温室内に天窓を介して風雨が浸入することを更に防止することができる。
【００２２】
また、請求項６に係る本発明では、前記回転軸に前記アームを介して連設した前記天窓フレームは、前記天窓フィルムを固定すべく、前記温室長手方向に架設した第１及び第２のフィルム止用条材の隣接間に配設したため、天窓の構造をより強固なものとすることができる。
【００２３】
また、請求項７に係る本発明では、前記天窓フィルムは、前記温室を被覆するフィルムの一部としたため、フィルムから独立した天窓フィルムを別途配設する必要がなく、天窓の形成を容易に行うことができる。
【図面の簡単な説明】
【００２４】
【図１】本実施形態に係る天窓を設ける構造を備えた温室の外観を示す斜視図である。
【図２】本実施形態に係る天窓を設ける構造の構成を示した説明図である。
【図３】ブラケットの構成を示した説明図である。
【図４】アーム及び天窓フレームの構成を示した説明図である。
【図５】受部と天窓フレームとの当接状態を示した説明図である。
【図６】天窓フレーム及び受部の分解状態を示した説明図である。
【図７】受けフレームの構成を示した説明図である。
【図８】受け用ブラケットの構成を示した説明図である。
【図９】本実施形態に係る天窓を設ける構造を備えた天窓の構築手順を示した説明図である。
【図１０】本実施形態に係る天窓を設ける構造を備えた天窓の構築手順を示した説明図である。
【図１１】本実施形態に係る天窓を設ける構造を備えた天窓の構築手順を示した説明図である。
【図１２】第１変形例に係る天窓の構成を示した説明図である。
【図１３】第２変形例に係る天窓の構成を示した説明図である。
【図１４】天窓の設置態様を示した説明図である。
【発明を実施するための形態】
【００２５】
本発明は、温室の骨組材に配設された第１及び第２のフィルム止用条材間に張設されるフィルムに開閉自在な天窓を設ける構造であって、前記フィルムに開口された天窓口と、同天窓口を閉塞可能な面積を備え、前記第１のフィルム止用条材に一端が係止された天窓フィルムと、前記天窓口の開閉方向と直交する方向へ向けて前記骨組材にブラケットで回転自在に架設した回転軸と、前記回転軸にアームを介して連設すると共に、前記天窓フィルムの他端を固定した天窓フレームと、を備えると共に、前記天窓口を閉塞する時には、前記回転軸を介して前記アームを前記第２のフィルム止用条材側に傾倒させて、前記天窓フィルムを緊張させるように構成し、前記天窓口を開放する時には、前記回転軸を介して前記アームを前記第１のフィルム止用条材側に傾倒させて、前記天窓フィルムを弛緩させるように構成したことを特徴とする天窓を設ける構造を提供するものである。
【００２６】
本実施形態において天窓は、温室の上方に形成された開口を開放又は閉塞するものの他、温室の側面部分や妻面に形成されたものを含む概念である。すなわち、本実施形態に係る天窓を設ける構造は、略垂直面に形成された開口を開放・閉塞する場合にも適用可能であり、上方に向けて形成された開口を開放・閉塞するものに限定されない。
【００２７】
温室に張設されるフィルムは、所謂農業用フィルムであり、塩化ビニル系のフィルム（塩ビ系フィルム）や、ポリオレフィン系のフィルム（ＰＯ系フィルム）が好適に用いられる。
【００２８】
また、第１及び第２のフィルム止用条材は、温室の骨組材にフィルムを定着させるための部材である。このようなフィルム止用条材は特に限定されるものではないが、好適な一例を示すならば、特開２０１０−１５８２５５号公報に示されるような、帯状の底壁部の両側にそれぞれ側壁部を立設してなる溝部を備え、両側壁部はそれぞれ、前記底壁部に連接し、溝部の外側へ凸状に曲成した角部を設けてなる基部と、前記溝部の開口に臨ませた縁部と、この縁部と基部との間に当該基部より立ち上げた姿勢で設けた中間部とを具備し、前記開口から溝部内にフィルムの一部を挿入させて当該フィルムを止めるフィルム止用条材を用いることができる。なお、この第１及び第２のフィルム止用条材自体も、温室の骨組材としての役割を担っていても良い。
【００２９】
そして、本実施形態に係る天窓を設ける構造に特徴的には、温室に開口部として形成した天窓口を閉塞可能なフィルム（以下、天窓フィルムという。）を、回転軸に取り付けたアームによって、緊張状態又は弛緩状態とすることで、天窓の開閉を行うこととしている。
【００３０】
したがって、従来の天窓の如く、天窓フィルムの四辺全てに重量物である窓枠材を設ける必要がなく、シンプルな構造でありながらも軽量且つ安価に天窓を形成することができる。また、このような天窓を設ける構造によれば、天窓フィルムは、開閉時においてアームや回転軸に対し殆ど重量負荷とならないため、アームや回転軸に過大な強度を付与する必要がなく、天窓を備えることによる構造材への負荷を軽減するとともに、コストの上昇を抑えることができる。
【００３１】
ところで、従来の温室の天窓の構造は、前述したように、揺動する天窓の四辺に窓枠が配設されていた。
【００３２】
しかしながら、このような天窓の構造では、開閉時に窓枠ごと駆動させる必要があり、しかも、解放時には天窓が風をまともに受けることとなる。したがって、このような風に対しても十分な強度を有するよう、窓枠を強固にするため、さらに重量が増すこととなっていた。
【００３３】
一方、本実施形態に係る天窓を設ける構造によれば、天窓の四辺に窓枠を設けることなく、また、天窓フィルムを撓ませる構造であるため、風を受け流すことが可能となり、強度向上に伴う重量増加を抑制することができる。
【００３４】
また、本実施形態に係る天窓を設ける構造では、第２のフィルム止用条材に沿って配置され、天窓フレームの先端縁を当接自在とした受けフレームを備え、天窓口を閉塞する時には、天窓フレームを受けフレームに当接し、天窓口を開放する時には、天窓フレームを受けフレームから離隔するよう構成しても良い。
【００３５】
このような構成とすることにより、天窓フレームの先端縁を、受けフレームにて受けることができ、風雨の浸入を防止したり、温室に展張したフィルムに接触して傷つけてしまうことを可及的防止することができる。
【００３６】
また、第２のフィルム止用条材に装着される受け用ブラケットと受けフレームとで第２のフィルム止用条材を一体的に挟持固定しても良い。
【００３７】
このような構造とすることにより、受けフレームが第２のフィルム止用条材にしっかりと固定され、天窓を設ける構造を強固なものとすることができる。
【００３８】
また、天窓フィルムは、温室を被覆するフィルムの一部としても良い。換言すれば、温室に天窓を設けるにあたり、天窓フィルムは、第１のフィルム止用条材と天窓フレームとの間に新たなフィルムを用いて形成しても良いが、温室の骨組材に張設したフィルムのうち、第１及び第２のフィルム止用条材間のフィルムを切り開いて天窓口を形成するとともに、切り開いた部分にあったフィルムをそのまま天窓フィルムとして使用しても良い。
【００３９】
天窓フィルムを、温室を被覆するフィルムの一部で形成することにより、フィルムから独立した新たな天窓フィルムを別途配設する必要がなく、天窓の形成を更に容易に行うことができる。
【００４０】
また、回転軸にアームを介して連設した天窓フレームは、天窓フィルムを固定すべく、温室長手方向に架設した第１及び第２のフィルム止用条材の隣接間に配設している。
【００４１】
前述のように、第１及び第２のフィルム止用条材は、温室の骨組材の表面にフィルムを定着させるものであるが、多くの場合、フィルム止用条材自体もまた温室の骨組材としての機能も有している。
【００４２】
したがって、天窓フレームを第１及び第２のフィルム止用条材の隣接間に配設することにより、第１及び第２のフィルム止用条材間で天窓フレームを揺動させることができ、天窓の構造をより強固なものとすることができる。
【００４３】
また、受けフレームは先端縁を上方に立ち上げて防風水壁とするのが好ましい。
【００４４】
温室は多くの場合、上方に凸状の傾斜や湾曲を有した屋根を備えており、屋根面から屋根頂部に沿って風が流れる場合、受けフレームと天窓フレームとの間に風が入り込む可能性も否定できない。
【００４５】
そこで、受けフレームの先端縁に防風水壁を形成しておくことにより、屋根面に沿って屋根頂部方向へ流れる風を減衰させることができ、雨や風が天窓から温室内に浸入するのを防止できる。
【００４６】
以下、本実施形態に係る天窓を設ける構造について、図面を参照しながら説明する。図１は、本実施形態に係る天窓を設ける構造を備えた温室の外観を示す説明図である。
【００４７】
図１に示すように、温室１０は、所定の骨組材によって正面視蒲鉾状の形状に組上げられ、骨組材に沿って合成樹脂からなるフィルム１１を張設して構築している。
【００４８】
すなわち、屋根を形成する複数のアーチパイプ１２を、構築する温室１０の長手方向へ適宜間隔を隔てて立設するとともに、各アーチパイプ１２間に、複数の長手状の横パイプ１３と、同じく複数のフィルム止用条材１４とを連結固定し、妻面部１０ａには縦柱１５とこれに直交して略水平方向に補強パイプ１６を配設している。そして、これら各パイプやフィルム止用条材１４からなる骨組材に沿ってフィルム１１で覆っている。図中、１０ｂは妻面部１０ａの左右の縦柱１５，１５間に設けられた扉部であり、この扉部１０ｂを開放して温室１０の出入りができるようになっている。
【００４９】
また、温室１０の上部には、本実施形態に係る天窓を設ける構造を備えた天窓Ａが形成されており、温室１０内部を換気可能としている。
【００５０】
この天窓Ａは、温室１０の骨組材（例えば、アーチパイプ１２や横パイプ１３）に、互いに略平行に配設された第１フィルム止用条材１４ａ及び第２フィルム止用条材１４ｂ間に張設されているフィルム１１に開閉自在に設けている。
【００５１】
図１及び図２を参照しながら具体的に説明すると、天窓Ａは、フィルム１１に開口された天窓口２０と、同天窓口２０を閉塞可能な面積を備え、第１フィルム止用条材１４ａに一端が係止された天窓フィルム２１と、天窓口２０の開閉方向と直交する方向へ向けて骨組材にブラケット２２で回転自在に架設した回転軸２３と、回転軸２３にアーム２４を介して連設され、天窓フィルム２１の他端を固定する天窓フレーム２５と、第２フィルム止用条材１４ｂに沿って配置され、天窓フレームの先端縁を当接自在とした受けフレーム２６と、天窓口２０の長手方向端部に形成された捨張部４０とを備えている。
【００５２】
そして、作業者が図１に示す開閉操作部２７を操作することにより、回転軸２３が回動し、アーム２４が揺動することで、図２（ａ）に示すように天窓フィルム２１で天窓口２０が閉塞された閉塞状態と、図２（ｂ）に示すように天窓フィルム２１を撓ませて天窓口２０が開放された開放状態との間で変位可能としている。なお、本実施形態において開閉操作部２７は、無端チェン２８を介して作業者により回動されるプーリ２９と、同プーリ２９に同軸状に連結されたプーリ軸３０を入力軸とするギアボックス３１とで構成しており、前記回転軸２３はギアボックス３１の出力軸となりアーム２４を回動（傾倒）させる。また、ギアボックス３１は、複数の歯車等を組合せ、プーリ２９の回転速度が減速されて回転軸２３に伝達されるよう構成している。なお、この開閉操作部２７は、開放状態と閉塞状態との中間位置にもアーム２４を停止可能としている。
【００５３】
なお、図２では、回転軸２３を、第１フィルム止用条材１４ａと第２フィルム止用条材１４ｂとの間に配置し、図２（ｂ）に点線で示すように天窓フレーム２５の先端部の円弧状軌跡Ｐ上に受けフレーム２６を配置するとともに、前記軌跡の内方に第１フィルム止用条材１４ａを配置しており、しかも、天窓フレーム２５が捨張部４０の架梁部材４１と当接して最も開放された状態となったとき、気流誘導部２５ｃの直下に第１フィルム止用条材１４ａが位置するよう構成しているが、これに限定されるものではない。例えば、第２フィルム止用条材１４ｂや受けフレーム２６を、より円弧状軌跡Ｐの内方に位置させても良く、また、第１フィルム止用条材１４ａが円弧状軌跡Ｐの外方に位置していても良い。ただし、第１フィルム止用条材１４ａを円弧状軌跡Ｐの外方に配置した場合には、撓ませる天窓フィルム２１の長さが長くなるため、できるだけ円弧状軌跡Ｐの近傍又は内方に位置させるのが望ましい。
【００５４】
回転軸２３は、図１及び図９（ｂ）に示すように、骨組材としてのアーチパイプ１２に、ブラケット２２を介した状態で回転自在に架設されている。
【００５５】
ブラケット２２は、図３に示すように、アーチパイプ１２の長手方向に沿って配置される平坦部２２ａと、回転軸２３が遊嵌される円筒部２２ｂとを有している。
【００５６】
平坦部２２ａには、Ｕ字状の取付金具２２ｃ（図３（ａ）参照）の端部を挿入する長穴状の孔部２２ｄ（図３（ｂ）参照）が設けられており、取付金具２２ｃをアーチパイプ１２に跨がせ、その端部を孔部２２ｄに挿通させた上で、取付ナット２２ｅを取付金具２２ｃの各端部に螺着することにより、ブラケット２２をアーチパイプ１２に取り付けることができる。
【００５７】
また、平坦部２２ａの上面先端縁部には、突起部２２ｆを形成している。この突起部２２ｆは、上述のようにブラケット２２をアーチパイプ１２に取り付けた際に、アーチパイプ１２に強く当接させることで、ブラケット２２がアーチパイプ１２の伸延方向に滑ってしまうことを防止する役割を担っている。
【００５８】
付言すれば、取付金具２２ｃを連結した孔部２２ｄの位置を支点として、回転軸２３を支持する円筒部２２ｂ側の重量により、突起部２２ｆをアーチパイプ１２の表面に強く当接させて滑りを防止している。
【００５９】
そして、回転軸２３は、各アーチパイプ１２に取り付けられたブラケット２２の円筒部２２ｂに逐次挿通させることで、ブラケット２２を介した状態で回転自在に架設している。
【００６０】
また、回転軸２３には、長手方向所定間隔毎にアーム２４を取り付けており、その先端には、天窓フレーム２５を配設している。図４はアーム２４及び天窓フレーム２５の断面を示しており、図４（ａ）はアーム２４の先端に天窓フレーム２５を配置する前の状態、図４（ｂ）は配置した後の状態を示している。
【００６１】
図４（ａ）に示すようにアーム２４は、棒状のアーム本体部２４ａと、同アーム本体部２４ａの基端側に設けられた円筒状の回転軸固定部２４ｂと、アーム本体部２４ａの先端側に設けられた平板状の天窓フレーム連結部２４ｃとで構成している。
【００６２】
アーム本体部２４ａは、回転軸２３の回転力を天窓フレーム連結部２４ｃに伝達するための部位であり、強度を維持しつつ軽量化を図るため、紙面下方に開口する断面視略コ字状に形成している。
【００６３】
回転軸固定部２４ｂは、アーム本体部２４ａの基端側に設けられており、回転軸２３にアーム２４を固定するための部位である。
【００６４】
回転軸固定部２４ｂは、アーム本体部２４ａの伸延方向と直交する方向に軸線を向けた円筒状としており、その中空部である回転軸挿通孔２４ｄに回転軸２３を挿通させた状態で、回転軸固定部２４ｂの周壁内外を連通させて設けた雌ネジ部を備える固定ボルト螺入孔２４ｅに固定ボルト２４ｆを螺入し、固定ボルト２４ｆの先端を回転軸２３の周面に当接させることで、アーム２４を回転軸２３に固定する。なお、この回転軸固定部２４ｂの構成は一例であり、アーム２４を回転軸２３に固定可能であれば、回転軸固定部２４ｂの態様は限定されるものではない。例えば回転軸固定部２４ｂは、円筒状の回転軸固定部２４ｂを回転軸２３の軸線に沿った半割れ状として、一方の半割れ体を回転軸２３に装着し、同半割れ体に他方の半割れ体を装着固定して円筒状とすることによりアーム２４を回転軸２３に固定しても良く、また、図３の取付金具２２ｃのようなＵ字状のボルトを用いて回転軸２３にアーム２４を固定しても良い。これらの方法によれば、回転軸２３に対するアーム２４の取り付けを更に容易とすることができる。
【００６５】
天窓フレーム連結部２４ｃは、先端部を薄肉状に形成した嵌入係合部２４ｇと、天窓フレーム連結部２４ｃの表裏を貫通する孔部２４ｈとを備えている。
【００６６】
嵌入係合部２４ｇは、後述の天窓フレーム２５の嵌入溝部２５ｄに嵌入させて、天窓フレーム２５が天窓フレーム連結部２４ｃの先端部において、アーム２４の揺動時に浮き上がるのを防止するための部位である。
【００６７】
また孔部２４ｈは、天窓フレーム２５にも同じく形成された孔部２５ｍと位置を一致させて、連結ボルト２５ｎを挿通することにより、天窓フレーム２５をアーム２４に連結するための部位である。
【００６８】
天窓フレーム２５は、天窓口２０の開閉方向と直交する方向への長さと略同じ長さを有する長尺状の部材であり、板状の基板部２５ａを備えている。なお、図４（ａ）は短尺方向の断面を示しており、紙面奥行き方向に伸延している。
【００６９】
天窓フレーム２５は、基板部２５ａの先端部表面（上面）に形成された天窓フィルム２１の先端部（自由端部）を係止する天窓フィルム止着部２５ｂと、基板部２５ａの先端縁部に形成された気流誘導部２５ｃと、基板部２５ａの先端部裏面（下面）に形成された嵌入溝部２５ｄとを備えている。
【００７０】
天窓フィルム止着部２５ｂは、フィルム止用条材１４と略同じ仕組みによって天窓フィルム２１の端部を止着する部位である。
【００７１】
すなわち、上方に向けて開口が幅狭となるように傾斜させた第１壁部２５ｅ及び第２壁部２５ｆとを備えており、基板部２５ａ上面と、第１壁部２５ｅ及び第２壁部２５ｆとで囲われた下方に拡開する略台形状の空間をスプリング装着部２５ｇとして、ジグザグ状のフィルム止用スプリング３２（例えば、図２や図６参照）を装着することにより、天窓フィルム２１を止着可能としている。
【００７２】
また、第１壁部２５ｅの上端には支持板２５ｈを配設している。この支持板２５ｈは、後に図１２を参照して説明するが、硬質フィルムやフッ素フィルム、厚手のフィルムをフィルム１１や天窓フィルム２１として使用した際に、天窓フィルム２１の自由端部を天窓フレーム２５に係止するために用いられる部位である。なお、角部２５ｉはフィルム１１や天窓フィルム２１への摩擦劣化を防止すべく、丸め加工が施されている。
【００７３】
気流誘導部２５ｃは、基板部２５ａの先端部に設けられており、第２壁部２５ｆと、同第２壁部２５ｆに連続して下方へ伸延する伸延斜部２５ｊとで構成している。この気流誘導部２５ｃは、基板部２５ａの先端部から基端部側へ流れる風により、天窓フレーム２５を下方へ押し下げる力（ダウンフォース）を発生させて、天窓フレーム２５と受けフレーム２６とを密着させ、天窓Ａからの風雨の浸入を防止する役割を有している。
【００７４】
また、気流誘導部２５ｃの下方には、下方へ垂直に伸延する当接脚部２５ｋが形成されている。この当接脚部２５ｋは、受けフレーム２６と当接部位である。
【００７５】
嵌入溝部２５ｄは、前述のアーム２４の嵌入係合部２４ｇを嵌入させて、天窓フレーム２５のアーム２４に対する浮き上がりを防止するための部位であり、当接脚部２５ｋの上下方向中途部に基端側へ向けて突設した係止突片２５ｌと、基板部２５ａとの間に形成している。
【００７６】
そして、アーム２４に天窓フレーム２５を装着するにあたっては、図４（ｂ）に示すように、アーム２４の嵌入係合部２４ｇを嵌入溝部２５ｄに嵌入させ、基板部２５ａの表裏を貫通する孔部２５ｍとアーム２４の孔部２４ｈとの位置を一致させて、連結ボルト２５ｎを螺入することにより固定することとしている。
【００７７】
次に、天窓フレーム２５と当接する受けフレーム２６及び同受けフレーム２６の第２フィルム止用条材１４ｂに対する取付構造について図５及び図６を参照しながら説明する。図５は天窓フレーム２５が受けフレーム２６に当接した状態を示す説明図、図６は図５の分解斜視図である。なお、図５及び図６では、説明の便宜上、フィルム１１や天窓フィルム２１、アーム２４等を省略している。
【００７８】
天窓フレーム２５は、図５に示すように、受けフレーム２６と、第２フィルム止用条材１４ｂと、受け用ブラケット３３とで一体的に構成された受部３４により、その先端部分が受けられる。
【００７９】
また、換言すれば、受部３４は、図６に示すように、第２フィルム止用条材１４ｂに装着される受け用ブラケット３３と、受けフレーム２６とで第２フィルム止用条材１４ｂを一体的に挟持固定することにより構成している。
【００８０】
図７は、受けフレーム２６の短尺方向における断面を示している。図７に示すように受けフレーム２６は、長尺状の基板部２６ａと、同基板部２６ａの先端縁部を上方に立ち上げて形成された防風水壁２６ｂと、基板部２６ａの後端縁部を下方へ垂下させて形成した垂下壁２６ｃとを備えている。
【００８１】
基板部２６ａは、天窓フレーム２５と略同じ長さを有する長尺板状の部材であり、その後端側には長手方向所定間隔毎に受けフレームボルト挿通孔２６ｄが穿設されている。この受けフレームボルト挿通孔２６ｄは、後述の受けフレーム固定ボルト３５の軸周り方向の回転を規制するために、平面視において多角形状（本実施形態では矩形状）としている。
【００８２】
防風水壁２６ｂは、基板部２６ａの先端縁部に上方へ向けて立設した壁状の部位であり、受けフレーム２６の伸延方向所定間隔毎に同防風水壁２６ｂを一部切り欠いてなる排水口２６ｅが形成されている。
【００８３】
防風水壁２６ｂは、温室１０のフィルム１１に沿って流れる風雨が、直接天窓フレーム２５の先端部分に至り、温室１０内に浸入してしまうことを防止するものである。また、排水口２６ｅは、雨天時に受けフレーム２６上に溜まった雨水を排水するためのものである。
【００８４】
垂下壁２６ｃは、基板部２６ａの後端縁部に下方へ向けて垂設した壁上の部位であり、受け用ブラケット３３に当接して受けフレーム２６の位置決めを容易とする役割を果たすものである。
【００８５】
また、垂下壁２６ｃの上端となる基板部２６ａの表面には、天窓フレーム２５の当接脚部２５ｋを当接させるための当接肉盛部２６ｆを形成している。
【００８６】
この当接肉盛部２６ｆは、当接による摩耗が生じた場合でも、十分な強度を確保するために設けており、また、受けフレームボルト挿通孔２６ｄに挿通される後述の受けフレーム固定ボルト３５との接触を防止する上げ底の役割も担っている。
【００８７】
図８は受け用ブラケット３３の構成を示す説明図であり、それぞれ正面図（図８（ａ））、平面図（図８（ｂ））、右側面図（図８（ｃ））である。なお、図８を用いた受け用ブラケット３３の説明では、説明の便宜上、図８（ａ）における左側を先端、右側を後端と称する場合がある。
【００８８】
図８に示すように受け用ブラケット３３は、底壁部３３ａの長片を上方に立ち上げて形成した側壁３３ｂを有しており、同側壁３３ｂの中央部を切り欠いて第２フィルム止用条材１４ｂを嵌着するための切欠部３３ｃを形成すると共に、同切欠部３３ｃの先端側の側壁３３ｂを先端係止壁３３ｄとし、切欠部３３ｃの後端側の側壁３３ｂを後端係止壁３３ｅとしている。
【００８９】
底壁部３３ａには、対向する一対の後端係止壁３３ｅ間に、前述の受けフレームボルト挿通孔２６ｄと同様、受けフレーム固定ボルト３５を挿通させるための受けフレーム固定ボルト挿通孔３３ｆが穿設されている。
【００９０】
切欠部３３ｃは、第２フィルム止用条材１４ｂの幅Ｗと略同じ長さＷ’で矩形状に切り欠いて形成した部位であり、第２フィルム止用条材１４ｂを装着可能に形成している。
【００９１】
先端係止壁３３ｄは、後端係止壁３３ｅと共に、第２フィルム止用条材１４ｂの嵌着位置を規定すると共に、同第２フィルム止用条材１４ｂの先端−後端方向への移動を規制するための部位である。
【００９２】
後端係止壁３３ｅは、先端係止壁３３ｄと同様上述の役割を担うものであり、また、受けフレーム２６の基板部２６ａ及び垂下壁２６ｃと当接して、受けフレーム２６の移動や回転を規制する役割も担っている。
【００９３】
すなわち、切欠部に隣接する側壁としての後端係止壁３３ｅは、その上端で受けフレーム２６の基板部２６ａと当接して同受けフレーム２６を支持すると共に、後端縁部分で受けフレーム２６の垂下壁２６ｃと当接して、受け用ブラケット３３に対し、受けフレーム２６が回転するのを防止している。
【００９４】
このような構成を備えることにより、第２フィルム止用条材１４ｂを、受けフレーム２６と受け用ブラケット３３とでしっかりと挟持することができる。
【００９５】
そして、受部３４を構成するにあたっては、受け用ブラケット３３を第２フィルム止用条材１４ｂの下方に配置して、切欠部３３ｃに同第２フィルム止用条材１４ｂを嵌着し、第２フィルム止用条材１４ｂの上方に受けフレーム２６を配置する。
【００９６】
次いで、受けフレーム２６に穿設されている受けフレームボルト挿通孔２６ｄと、受け用ブラケット３３の受けフレーム固定ボルト挿通孔３３ｆとの位置を一致させ、受けフレーム固定ボルト３５を両者に貫通させて、ナット３６を螺合させることにより固定して受部３４を形成する。なお、第２フィルム止用条材１４ｂの伸延方向に複数の受部３４を形成する場合は、この作業を繰り返し行う。
【００９７】
受けフレーム固定ボルト３５は、所謂根角ボルトであり、その上部を受けフレーム２６の受けフレームボルト挿通孔２６ｄの形状と同形状としており、受けフレーム２６に対する受けフレーム固定ボルト３５の回転を規制している。したがって、作業者が受部３４を形成するにあたり、ナット３６の締結によって受けフレーム固定ボルト３５が回転してしまう煩わしさがなく、容易に作業を行うことができる。また、天窓フレーム２５が受けフレーム２６に当接した際の振動等により、受けフレーム固定ボルト３５が回転して緩むことを防止することができる。
【００９８】
また、受けフレーム固定ボルト３５の上端は、受けフレームボルト挿通孔２６ｄの周縁で係止可能ながらも偏平状に形成している。したがって、受けフレーム２６に対する天窓フレーム２５の浮き上がりや隙間を少なくすることができ、風雨の浸入を可及的防止することができる。
【００９９】
このように、本実施形態に係る天窓を設ける構造は、上述してきた構成を備える各部材によって形成される。そこで次に、図９〜図１１を参照しながら、天窓Ａの形成工程について説明する。なお、以下の説明では説明の便宜上、３本のアーチパイプ１２間に天窓Ａを形成する場合について説明するが、温室１０の長手方向における天窓Ａの長さ（以下、単に天窓Ａの長さという。）は、温室１０の大きさ等に応じて適宜変更可能であることは言うまでもない。
【０１００】
図９（ａ）は、アーチパイプ１２と直交する方向に第１フィルム止用条材１４ａ及び第２フィルム止用条材１４ｂが予め配置され、フィルム１１が展張される前の骨組の状態における天窓Ａを形成する部分の拡大図を示している。天窓Ａは、この２本のフィルム止用条材１４間に形成する。
【０１０１】
天窓Ａを形成するにあたり、まず、天窓口２０の長手方向端部となる位置に捨張部４０を形成する捨張部形成工程を行う。捨張部４０には捨張フィルム４３が展張されており、天窓Ａの長手方向端部をこの捨張部４０と天窓フィルム２１とで二重に構成することで、温室１０内への雨水の浸入を防止する役割を果たす。
【０１０２】
捨張部形成工程では、図９（ａ）に示すように、第１フィルム止用条材１４ａと第２フィルム止用条材１４ｂとの間に２本の架梁部材４１を配設して、２本の架梁部材４１と第１及び第２のフィルム止用条材１４ａ,１４ｂとで形成される矩形状の展張枠４２を形成する。この展張枠４２は、天窓口２０の長手方向端部となる位置にそれぞれ形成される。そして、この展張枠４２に捨張フィルム４３を展張することで捨張部４０が形成される。なお、本実施形態では、架梁部材４１はフィルム止用条材１４と同じものを使用しており、フィルム止用スプリング３２を装着することで、展張枠４２に捨張フィルム４３を容易に展張可能としているが、必ずしもこれに限定されるものではなく、捨張フィルム４３を展張できる展張枠４２を構成可能なものであれば良い。
【０１０３】
次に、図９（ｂ）に示すように、回転軸２３を取り付けるためのブラケット２２を骨組材（アーチパイプ１２）に取り付けるブラケット取付工程を行う。このとき、後に回転軸２３を挿通しやすいように、各ブラケット２２のアーチパイプ１２伸延方向上での位置をできるだけ一致させておくのが良い。
【０１０４】
次に、回転軸２３をブラケット２２の円筒部２２ｂに挿通させて配置する回転軸架設工程を行う（図１０（ａ）参照。）。このとき、回転軸２３をブラケット２２に挿通させつつ、必要箇所にアーム２４を挿通させる。なお、挿通させるアーム２４の本数は、形成する天窓Ａの長さに応じて、強度等を加味しながら適宜本数を増減させる。
【０１０５】
次に、アーム２４に天窓フレーム２５を取り付ける天窓フレーム取付工程を行う（図１０（ｂ）参照。）。具体的には、図４に示したように、アーム２４の嵌入係合部２４ｇを、天窓フレーム２５の嵌入溝部２５ｄに嵌入させて、連結ボルト２５ｎで固定する。アーム２４と天窓フレーム２５との固定を終えた後、アーム２４の回転軸固定部２４ｂに備えられた固定ボルト２４ｆを締め込んで、アーム２４を回転軸２３に固定し、回転軸２３の周回り方向へのアーム２４の滑りを規制する。また、回転軸２３に開閉操作部２７の設置を行う。なお、図１０（ｂ）において開閉操作部２７は、回転軸２３の端部に配設しているが、これに限定されるものではなく、回転軸２３の捻れ方向の強度を加味して、回転軸２３の中間位置に配設しても良い。
【０１０６】
次に、少なくとも天窓Ａを形成する部分にフィルム１１を展張するフィルム展張工程を行う。このフィルム展張工程では、骨組状態であった温室１０の骨格全体にフィルム１１を展張すると良い。
【０１０７】
特に天窓Ａの構築部位周辺について言及すれば、本フィルム展張工程では、図１１（ａ）に示すように、第１フィルム止用条材１４ａと、天窓フレーム２５の天窓フィルム止着部２５ｂと、第２フィルム止用条材１４ｂとに、フィルム１１を嵌入しつつフィルム止用スプリング３２を装着して展張する。このとき、天窓口２０の長手方向端部では、捨張部４０の捨張フィルム４３と、フィルム１１とで、フィルムが二重に張設されることとなる。なお、図１１では、フィルム１１の広がりについては省略して記載している。
【０１０８】
次に、張設したフィルム１１に対し、図１１（ｂ）にて破線で示した三辺に切れ目を入れて天窓口２０を開閉可能に形成するフィルム切開工程を行う。具体的には、天窓フレーム２５の先端縁と、天窓フレーム２５の両側からフィルム止用条材１４ａに至る二辺（以下、側部辺という。）とを切断し、第１フィルム止用条材１４ａに一端が係止され、自由端である他端が天窓フレーム２５に係止された天窓フィルム２１が形成される。なお、側部辺切開時には、捨張部４０の捨張フィルム４３を切開しないように留意する必要がある。
【０１０９】
そして、第２フィルム止用条材１４ｂの位置に受部３４を形成する受部形成工程を行う。具体的には、第２フィルム止用条材１４ｂ上に受けフレーム２６を配置し、第２フィルム止用条材１４ｂの下方から受け用ブラケット３３を装着して、受けフレーム固定ボルト３５及びナット３６により固定して受部３４を形成する。これにより、本実施形態に係る天窓を設ける構造を備えた天窓Ａが形成されることとなる。
【０１１０】
次に、本実施形態に係る天窓を設ける構造の第１変形例について図１２を参照しながら説明する。図１２は、温室１０の側面部や妻面など、略垂直な部分に本実施形態に係る天窓を設ける構造を備えた天窓Ｂを形成した状態を示している。ここでは、妻面部１０ａに天窓Ｂを設けた場合について説明する。ただし、本第１変形例は、天窓Ｂを略垂直以外の角度で設けることを妨げるものではない。
【０１１１】
また、本第１変形例にて示す天窓Ｂは、上述の相違点の他に、天窓フィルムとして硬質のフィルムを用いている点や、天窓フィルムの取り付け方、受けフレームの構造等において相違している。天窓フィルムに硬質フィルムを用いる理由としては、例えば、天窓フィルムをより長持ちさせるため等が挙げられる。なお、本第１変形例では、前述の天窓Ａと同様の構成については、同じ符号を付して説明を省略する。
【０１１２】
天窓Ｂの構成について具体的に説明すると、天窓Ｂは図１２に示すように、フィルム５１に開口された天窓口６０と、同天窓口６０を閉塞可能な面積を備え、第１フィルム止用条材１４ａに一端が係止された天窓フィルム６１と、天窓口６０の開閉方向と直交する方向へ向けて骨組材（縦柱１５）にブラケット２２（図示せず）で回転自在に架設した回転軸２３と、回転軸２３にアーム２４を介して連設され、天窓フィルム６１の他端を固定する天窓フレーム２５と、天窓フレーム２５の先端縁を当接自在とした第２フィルム止用条材として機能する受けフレーム６６とを備えている。なお、この天窓Ｂにおいても、天窓口６０の長手方向端部には、図示しない捨張部が形成されている。
【０１１３】
ここで特徴的には、天窓Ｂにおける天窓フィルム６１の第１フィルム止用条材１４ａへの係止は、フィルム止用条材１４と同様の形状を有する係止補助部材７０を用いて行っている。
【０１１４】
具体的には、第１フィルム止用条材１４ａの開口縁部と、係止補助部材７０の底壁との間で天窓フィルム６１を挟み込み、ドリルネジ７１にて固定することで係止しており、フィルム止用条材１４ａに嵌入困難な硬質フィルムである天窓フィルム６１を確実にフィルム止用条材１４ａに係止させている。
【０１１５】
また、天窓フィルム６１の先端部（自由端部）を天窓フレーム２５側、換言すれば温室内側に湾曲させつつ折返し、その端部を天窓フレーム２５の支持板２５ｈと係止補助部材７２とにより挟み込んで、ドリルネジ７１により係止している。
【０１１６】
また、第２フィルム止用条材として機能する受けフレーム６６は、フィルム５１を嵌入させてフィルム止用スプリング３２にて係止するフィルム嵌入部６６ａと、天窓Ｂを閉塞状態とした際に天窓フレーム２５の先端部が当接する受部６６ｂとを備えており、ドリルネジ７１にて縦柱１５に固定している。
【０１１７】
このような構成とすることにより、比較的可撓性の低い硬質フィルムであっても、天窓フィルム６１の先端部を天窓フレーム２５に係止することができ、しかも、開放状態の時には、図１２（ｂ）に示すように、撓んだ天窓フィルム６１を温室外側に向けて突出させることができ、アーム２４と骨組材等とによる天窓フィルム６１の挟み込みを防止することができる。また、雨水等の除去にも寄与することとなる。
【０１１８】
次に、本実施形態に係る天窓を設ける構造の第２変形例を図１３に示す。図１３に示す天窓Ｃは、図２にて説明した天窓Ａと略同様の構成を備えているが、回転軸２３がアーチパイプ１２の上方、すなわち、温室１０の室外側に備えられている点で構造を異にしている。なお、図１３では省略しているが、回転軸２３は図示しないブラケットによりアーチパイプ１２に回転自在に架設されている。また、本第２変形例についても、天窓Ｃを略水平以外の角度で設けることを妨げるものではない。
【０１１９】
このような構成によれば、天窓Ａや天窓Ｂに比して天窓口２０を広く開口させることができ、温室１０内の換気の効率を向上させることができる。
【０１２０】
また、図１４に示すように、妻面を揃えて配置した複数の温室１０において、各妻面に天窓Ｃが配置されている場合、各温室１０の側面部のフィルムを破ることなく、１本の回転軸２３を配置することによって、複数の温室１０に設けられた天窓Ｃの開閉を行うことができる。
【０１２１】
上述してきたように、本実施形態に係る天窓を設ける構造によれば、温室（例えば、温室１０）の骨組材（例えば、アーチパイプ１２や縦柱１５）に配設された第１及び第２のフィルム止用条材（例えば、第１フィルム止用条材１４ａ、第２フィルム止用条材１４ｂ、受けフレーム６６）間に張設されるフィルム（例えば、フィルム１１）に開閉自在な天窓（例えば、天窓Ａや天窓Ｂ）を設ける構造であって、前記フィルムに開口された天窓口（例えば、天窓口２０や天窓口６０）と、同天窓口を閉塞可能な面積を備え、前記第１のフィルム止用条材に一端が係止された天窓フィルム（例えば、天窓フィルム２１や天窓フィルム６１）と、前記天窓口の開閉方向と直交する方向へ向けて前記骨組材にブラケット（例えば、ブラケット２２）で回転自在に架設した回転軸（例えば、回転軸２３）と、前記回転軸にアーム（例えば、アーム２４）を介して連設すると共に、前記天窓フィルムの他端を固定した天窓フレーム（例えば、天窓フレーム２５）と、を備えると共に、前記天窓口を閉塞する時には、前記回転軸を介して前記アームを前記第２のフィルム止用条材側に傾倒させて、前記天窓フィルムを緊張させるように構成し、前記天窓口を開放する時には、前記回転軸を介して前記アームを前記第１のフィルム止用条材側に傾倒させて、前記天窓フィルムを弛緩させるように構成したため、シンプルな構造でありながらも軽量且つ安価に天窓を形成することのできる、温室のフィルムに開閉自在な天窓を設ける構造を提供することができる。
【０１２２】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【０１２３】
例えば、本実施形態では、天窓を温室の天井部近傍に設けた例や妻面部に設けた例について説明したが、これに限定されるものではない。例えば、温室の側面部に設けても良いのは勿論である。
【０１２４】
また、複数の温室を幅方向に連結した大型の温室にあっては、これら各温室の天井面が形成する谷部に天窓を設けるようにしても良い。
【０１２５】
また、本実施形態では、円弧状の屋根部を有する温室を例に説明したが、これに限定されるものではなく、平面状の傾斜屋根を備えた温室にも適用可能である。
【０１２６】
また、本実施形態では、開閉操作部２７を無端チェン２８やプーリ２９、ギアボックス３１にて構成したがこれに限定されるものではなく、公知の方法により回転軸２３を回動させるよう構成しても良いのは勿論である。
【０１２７】
また、本実施形態では、変形例も含め、いずれも天窓フレーム２５の先端部が受けフレーム２６や受けフレーム６６に当接する例を示したが、必ずしもそのような必要はない。すなわち、各受けフレーム２６,６６を備えない場合や、各受けフレーム２６,６６を備えているが、フィルム１１やフィルム５１を係止する第２フィルム止用条材１４ｂが、天窓Ａや天窓Ｂの開閉方向において、回転軸２３の軸線を挟んで第１フィルム止用条材１４ａの反対側に配設されており、且つ、第２フィルム止用条材１４ｂがアーム２４の先端部の回動軌跡の内方（回転軸２３側）に位置しているために、天窓フレーム２５が当接できない場合であっても本発明の概念に含まれる。
【０１２８】
また、本実施形態に係る天窓を設ける構造を備えた天窓は、所定の長さを規格化してユニット単位で備えるようにしても良い。具体的には、第１フィルム止用条材１４ａや第２フィルム止用条材１４ｂ、天窓フレーム２５、受けフレーム２６,６６等の長手方向の長さを例えば３メートルとし、３メートルの長さの天窓を１ユニットとして温室に配設しても良い。なお、規格化する際の長さは、利便性等を考慮して適宜設定することができる。また、規格化された各条材やフレームは、互いに連結可能な構造（例えば、スエジ加工や連結部構造など）を備えていても良い。
【０１２９】
また、このようにユニット化された天窓は、複数ユニットの天窓を長手方向に連結して所望の長さ（例えば、回転軸方向における開口部の長さが３０メートルや１００メートルなど）の天窓を構築しても良く、また、複数ユニットの天窓が長手方向に間欠的（断続的）に設けられた天窓を構築しても良く、また、幅方向に複数ユニットを連結してブラインド状の天窓を構築しても良い。複数ユニットの天窓を長手方向に間欠的に設けた場合には、回転軸２３を各ユニット毎や所定ユニット数毎に別個としても良く、全ユニットを１本の回転軸２３で開閉できるよう共通化しても良い。共通化した場合は、一度の動作で全ての天窓の開閉操作を行うことができる。
【符号の説明】
【０１３０】
１０  温室
１１  フィルム
１２  アーチパイプ
１３  横パイプ
１４  フィルム止用条材
１４ａ  第１フィルム止用条材
１４ｂ  第２フィルム止用条材
２０  天窓口
２１  天窓フィルム
２２  ブラケット
２３  回転軸
２４  アーム
２５  天窓フレーム
２６  受けフレーム
２６ｂ  防風水壁
３２  フィルム止用スプリング
３３  受け用ブラケット
３３ｂ  側壁
３３ｃ  切欠部
３３ｅ  後端係止壁
Ａ  天窓
Ｂ  天窓
Ｃ  天窓
【図１】
2013141433.tif 000003
【図２】
2013141433.tif 000004
【図３】
2013141433.tif 000005
【図４】
2013141433.tif 000006
【図５】
2013141433.tif 000007
【図６】
2013141433.tif 000008
【図７】
2013141433.tif 000009
【図８】
2013141433.tif 000010
【図９】
2013141433.tif 000011
【図１０】
2013141433.tif 000012
【図１１】
2013141433.tif 000013
【図１２】
2013141433.tif 000014
【図１３】
2013141433.tif 000015
【図１４】
2013141433.tif 000016